(57)【要約】【課題】居住空間を有効活用することが可能な集合住宅および寝室ユニットを提供すること。【解決手段】各住戸は、居室と非居室とを有し、各住戸を区切る境界壁（１１）に沿って設けられ、周囲四方が壁によって囲まれた寝室ユニット（４０）を備え、寝室ユニットは、上下方向に隣接する上段空間（４２）と下段空間（４３）とを区画する横板部材（４１）を含み、上段空間は、就寝するための就寝空間であり、前記下段空間は、物を収納するための収納空間であり、寝室ユニットを取り囲む壁のうち少なくとも１つの壁（１４）は、開閉可能に設けられている。【選択図】図４
2017066647.tif 000002
【特許請求の範囲】
【請求項１】
複数の住戸を備える集合住宅であって、
前記各住戸は、居室と非居室とを有し、
前記各住戸を区切る境界壁に沿って設けられ、周囲四方が壁によって囲まれた寝室ユニットを備え、
前記寝室ユニットは、上下方向に隣接する上段空間と下段空間とを区画する横板部材を含み、
前記上段空間は、就寝するための就寝空間であり、前記下段空間は、物を収納するための収納空間であり、
前記寝室ユニットを取り囲む壁のうち少なくとも１つの前記壁は、開閉可能に設けられている、集合住宅。
【請求項２】
前記寝室ユニットの少なくとも１つの前記壁は、クローゼット室に隣接しており、
前記寝室ユニットの少なくとも１つの前記壁の下方領域は、前記収納空間と前記クローゼット室を連通させるために開放されている、請求項１に記載の集合住宅。
【請求項３】
前記寝室ユニットの少なくとも１つの前記壁は、前記非居室に隣接しており、
前記寝室ユニットの少なくとも１つの前記壁の上方領域は、前記非居室側にはみ出している、請求項１または２に記載の集合住宅。
【請求項４】
前記寝室ユニットは、前記居室と前記非居室との間に配置される、請求項１〜３のいずれかに記載の集合住宅。
【請求項５】
開閉可能な前記壁は、前記居室側に設けられる、請求項４に記載の集合住宅。
【請求項６】
前記寝室ユニットを取り囲む前記壁には、前記寝室ユニット内の換気を行うための換気口が設けられている、請求項１〜５のいずれかに記載の集合住宅。
【請求項７】
前記横板部材は、通気性を有する、請求項１〜６のいずれかに記載の集合住宅。
【請求項８】
居室と非居室とを有する住戸内に位置し、周囲四方を取り囲む壁と、
前記壁によって囲まれた空間を上下方向に隣接する上段空間と下段空間とを区画する横板部材とを備え、
前記上段空間は、就寝するための就寝空間であり、前記下段空間は、物を収納するための収納空間であり、
前記周囲四方を取り囲む壁のうち少なくとも１つの前記壁は、開閉可能に設けられる、寝室ユニット。
【請求項９】
前記周囲四方を取り囲む壁のうち少なくとも１つの前記壁は、クローゼット室に隣接しており、
前記周囲四方を取り囲む壁のうち少なくとも１つの前記壁の下方領域は、前記収納空間と前記クローゼット室を連通させるために開放されている、請求項８に記載の寝室ユニット。
【請求項１０】
前記周囲四方を取り囲む壁のうち少なくとも１つの前記壁は、前記非居室に隣接しており、
前記周囲四方を取り囲む壁のうち少なくとも１つの前記壁の上方領域は、前記非居室側にはみ出している、請求項８または９に記載の寝室ユニット。
【発明の詳細な説明】
【技術分野】
【０００１】
この発明は、複数の住戸を備えた集合住宅および寝室ユニットに関する。
【背景技術】
【０００２】
今般、ワンルームタイプの小面積の集合住宅が普及している。たとえば、特開２００８−１３９４５号公報（特許文献１）には、居室空間を１つ備えるワンルームマンションにおいて、居室空間にベッドを配置することが開示されている。
【０００３】
一方、近年において、隣接する部屋を仕切るための隔壁が居室空間と寝室空間を構築する構造も提案されている。たとえば、実用新案登録第３１８７８７８号公報（特許文献２）には、各部屋に居室空間と寝室空間とを構築する凸凹隔壁が開示されている。寝室空間は、凸凹隔壁を間に介して上下に配置されることが開示されている。
【先行技術文献】
【特許文献】
【０００４】
【特許文献１】特開２００８−１３９４５号公報
【特許文献２】実用新案登録第３１８７８７８号公報
【発明の概要】
【発明が解決しようとする課題】
【０００５】
上述のように、ワンルームマンションでは、居室空間にベッドを配置させることが一般的である。この場合、居室空間にベッドを配置させている分だけ、利用できるスペースが狭くなるため、居室空間を有効活用することができなかった。また、来客などの際には、ベッドを隠したいという要望がある。
【０００６】
本発明は、上記のような課題を解決するためになされたものであって、その目的は、居室空間を有効活用することが可能な集合住宅および寝室ユニットを提供することである。
【課題を解決するための手段】
【０００７】
この目的のため、本発明の一態様に係る集合住宅は、複数の住戸を備える集合住宅であって、各住戸は、居室と非居室とを有し、各住戸を区切る境界壁に沿って設けられ、周囲四方が壁によって囲まれた寝室ユニットを備え、寝室ユニットは、上下方向に隣接する上段空間と下段空間とを区画する横板部材を含み、上段空間は、就寝するための就寝空間であり、下段空間は、物を収納するための収納空間であり、寝室ユニットを取り囲む壁のうち少なくとも１つの壁は、開閉可能に設けられている。
【０００８】
好ましくは、寝室ユニットの少なくとも１つの壁は、クローゼット室に隣接しており、寝室ユニットの少なくとも１つの壁の下方領域は、収納空間とクローゼット室を連通させるために開放されている。
【０００９】
好ましくは、寝室ユニットの少なくとも１つの壁は、非居室に隣接しており、寝室ユニットの少なくとも１つの壁の上方領域は、非居室側にはみ出している。
【００１０】
好ましくは、寝室ユニットは、居室と非居室との間に配置される。
【００１１】
好ましくは、開閉可能な壁は、居室側に設けられる。
【００１２】
好ましくは、寝室ユニットを取り囲む壁には、寝室ユニット内の換気を行うための換気口が設けられている。
【００１３】
好ましくは、横板部材は、通気性を有する。
【００１４】
本発明の一態様に係る寝室ユニットは、居室と非居室とを有する住戸内に位置し、周囲四方を取り囲む壁と、壁によって囲まれた空間を上下方向に隣接する上段空間と下段空間とを区画する横板部材とを備え、上段空間は、就寝するための就寝空間であり、下段空間は、物を収納するための収納空間であり、周囲四方を取り囲む壁のうち少なくとも１つの壁は、開閉可能に設けられる。
【００１５】
好ましくは、周囲四方を取り囲む壁のうち少なくとも１つの壁は、クローゼット室に隣接しており、周囲四方を取り囲む壁のうち少なくとも１つの壁の下方領域は、収納空間とクローゼット室を連通させるために開放されている。
【００１６】
好ましくは、周囲四方を取り囲む壁のうち少なくとも１つの壁は、非居室に隣接しており、周囲四方を取り囲む壁のうち少なくとも１つの壁の上方領域は、非居室側にはみ出している。
【発明の効果】
【００１７】
本発明によれば、居室空間を有効活用することが可能な集合住宅および寝室ユニットを提供することができる。
【図面の簡単な説明】
【００１８】
【図１】本発明の実施の形態１に係る集合住宅の住戸の構造例を示す間取り図である。
【図２】図１の寝室ユニットの拡大図である。
【図３】本発明の実施の形態１における住戸の構造例を模式的に示す図である。
【図４】本発明の実施の形態１における寝室ユニットを模式的に示す斜視図である。
【図５】本発明の実施の形態１におけるクローゼット室を模式的に示す斜視図である。
【図６】本発明の実施の形態２に係る集合住宅の住戸の構造例を示す間取り図である。
【図７】図６の寝室ユニットの拡大図である。
【図８】本発明の実施の形態２における寝室ユニットを模式的に示す斜視図である。
【図９】本発明の実施の形態２における寝室ユニットを模式的に示す図である。
【図１０】本発明の実施の形態２の変形例に係る寝室ユニットの構成を示す図である。
【発明を実施するための形態】
【００１９】
本発明の実施の形態について図面を参照しながら詳細に説明する。なお、図中同一または相当部分には同一符号を付してその説明は繰り返さない。
【００２０】
＜実施の形態１＞
図１を参照して、本実施の形態に係る集合住宅１について説明する。本実施の形態では、図１において、矢印Ａ１の横方向は、幅方向を示し、矢印Ａ２の縦方向は、奥行き方向を示している。
【００２１】
本実施の形態に係る集合住宅１は、たとえば、マンションやアパートなどの複数階建ての賃貸住宅であり、複数の住戸１０を備える。複数の住戸１０は、たとえば、単身者を対象とするワンルームタイプである。複数の住戸１０は、境界壁１１によって区切られている。複数の住戸１０は、平面視において矩形形状を有し、境界壁１１を介して幅方向に隣接している。境界壁１１とは、各住戸１０を区切る壁であり、住戸１０が角部屋である場合には、集合住宅１の外壁も境界壁１１となる。
【００２２】
各住戸１０は、居室２と非居室３と寝室ユニット４０とを有する。居室２は、たとえば、リビング２０を含む。リビング２０は、ベランダ１５側に設けられている。リビング２０は、境界壁１１に沿って棚２１が設けられ、テーブル２２およびソファ２３などの家具が配置されていてもよい。
【００２３】
非居室３は、たとえば、玄関３１と、浴室３２と、洗面室３３と、トイレ室３４と、キッチン３５と、クローゼット室３６と、廊下３７と、収納室３８とを含む。クローゼット室３６には、衣服だけではなく、様々な物を収納することができる。収納室３８は、キッチン３５と対向する側に設けられているため、食器類などを収納するスぺースとして用いられている。非居室３は、玄関３１側にまとまって配置されている。
【００２４】
図２をさらに参照して、寝室ユニット４０について説明する。図２は、図１の寝室ユニット４０の拡大図である。
【００２５】
寝室ユニット４０は、各住戸１０を区切る境界壁１１に沿って設けられる。具体的には、寝室ユニット４０は、寝室ユニット４０の長手方向が、住戸１０の奥行き方向に沿って配置されている。寝室ユニット４０は、平面視において略矩形形状である。寝室ユニット４０は、たとえば、横幅Ｌ１が１０００ｍｍ以上であることが望ましく、奥行きＬ２が２０００ｍｍ以上であることが望ましい。
【００２６】
寝室ユニット４０は、周囲四方が壁によって囲まれており、具体的には、境界壁１１と、側壁１２と、後壁１３と、扉１４とによって囲まれている。
【００２７】
側壁１２は、クローゼット室３６との境目となる第１の側壁１２１と、第１の側壁１２１と直角に設けられる第２の側壁１２２と、収納室３８との境目となる第３の側壁１２３とにより形成されていてもよい。第３の側壁１２３は、第１の側壁１２１よりも収納室３８側寄りに配置されている。これにより、寝室ユニット４０の幅方向の長さは、後壁１３側よりも扉１４側の方が長く形成される。また、後壁１３は、洗面室３３との境目となる壁である。
【００２８】
寝室ユニット４０は、奥行き方向において、居室２と非居室３との間に配置される。すなわち、寝室ユニット４０は、奥行き方向において、リビング２０と洗面室３３との間に配置される。また、寝室ユニット４０は、幅方向において、クローゼット室３６および収納室３８と境界壁１１との間に配置される。
【００２９】
扉１４は、たとえば、片引き戸であり、居室２側に設けられる。つまり、寝室ユニット４０の出入り口は、リビング２０側に設けられる。なお、扉１４には、寝室ユニット４０内の換気を行うための換気口１４３（図４）が設けられていてもよい。この場合、換気口１４３は、扉１４の上方に設けられた開口である。
【００３０】
図３，４を参照して、寝室ユニット４０について説明する。図３は、本発明の実施の形態１における住戸１０の構造例を模式的に示す図であり、図４は、本発明の実施の形態１における寝室ユニット４０を模式的に示す斜視図である。図３，４において、理解容易のため、寝室ユニット４０の扉１４を開いた状態を図示している。
【００３１】
寝室ユニット４０は、上下方向に隣接する上段空間４２と下段空間４３とを区画する横板部材４１を含む。上段空間４２は、就寝するための就寝空間であり、下段空間４３は、物を収納するための収納空間である。なお、横板部材４１は、水平に配置される部材に限定されない。
【００３２】
横板部材４１は、扉１４より奥まった位置に配置されていてもよい。すなわち、図２の破線で示されるように、横板部材４１と扉１４との間には、スペース４００が設けられる。このスペース４００には、寝室ユニット４０の床面４３１から上段空間４２にまで延びる昇降部材（図示せず）を配置させることができる。これにより、横板部材４１に昇降部材を配置させたまま、扉１４を閉めることができる。昇降部材については、後述する。
【００３３】
横板部材４１は、通気性を有する部材で形成されていてもよい。具体的には、横板部材４１は、すのこのように、細長い板が間隔を空けて複数連結されている形状や、平板に複数の貫通孔またはスリットが設けられている形状である。これにより、就寝空間４２と収納空間４３との上下方向の通気を行うことができる。
【００３４】
就寝空間４２には、寝具が配置されている。具体的には、横板部材４１上には、マットレス４２１や枕４２２が配置されている。側壁１２には、就寝空間４２側に突出するように、棚４２３や間接照明４２４が配置されている。居住者は、リビング２０側に脚を向け、洗面室３３側に頭を向けて就寝してもよい。
【００３５】
このように、寝室ユニット４０を設けることにより、リビング２０以外に寝室を設けることができる。これにより、リビング２０にベッドを設ける必要がないため、リビング２０を広く使用することができる。特に、リビング２０にテーブル２２やソファ２３を配置させても、窮屈な印象を受けない。
【００３６】
さらに、寝室ユニット４０の出入り口に扉１４を設けることで、扉１４を閉めるだけで、就寝空間４２を隠すことができる。したがって、ワンルームマンションであっても、気兼ねなく来客を招くことができる。また、寝室ユニット４０は、スペースが狭いため、特に冬季は、扉１４を閉めることで、暖房を付けなくても暖かく就寝することができる。
【００３７】
就寝空間４２の下方に配置されている収納空間４３の説明に先立ち、寝室ユニット４０に隣接するクローゼット室３６について説明する。図５は、クローゼット室３６を模式的に示す斜視図である。図５において、理解容易のため、クローゼット室３６の両引き戸１３６の図示は省略している。
【００３８】
図２，５を参照して、クローゼット室３６は、後壁１３と第１の側壁１２１と第２の側壁１２２と両引き戸１３６とで周囲四方が囲まれている。クローゼット室３６は、両引き戸１３６がキッチン３５側に設けられるため、キッチン３５側から利用することができる。クローゼット室３６は、上下方向に隣接する上段３６２と下段３６３とを区画する棚板部材３６１を含む。棚板部材３６１は、後壁１３と第２の側壁１２２との間に延在している。クローゼット室３６の下段３６３は、後述する寝室ユニット４０の収納空間４３と連通している。
【００３９】
次に、図４，５を参照して、収納空間４３について説明する。収納空間４３は、就寝空間４２の横幅および奥行き方向の幅と同一である。収納空間４３とクローゼット室３６が隣接する第１の側壁１２１の下方領域は、収納空間４３とクローゼット室３６を連通させるために開放されている。すなわち、第１の側壁１２１は、クローゼット室３６の床面と間隔をあけて配置されている。このような構成により、クローゼット室３６側から長尺部材などの荷物、たとえば、スキー板や畳んだカーペットなどを収納することができる。
【００４０】
収納空間４３は、奥行きの長さが長いため、リビング２０側から収納空間４３を利用する際には、後壁１３側のスペースを利用しにくい。しかし、第１の側壁１２１の下方領域が開放されていることで、クローゼット室３６からも収納空間４３の後壁１３側のスペースを利用することができる。このように、デッドスペースになりそうな収納空間４３の後壁１３側のスペースを有効に活用することができる。
【００４１】
上記の実施の形態では、寝室ユニット４０が住戸１０の奥行き方向に沿って縦向きに配置されている住戸１０を説明した。以下の実施の形態では、寝室ユニット４０Ａの長手方向が住戸１０の奥行方向に対して直角に配置されている寝室ユニット４０Ａについて説明する。以下において、実施の形態１と同一の構成については、同一の符号を付して説明を省略し、実施の形態１との相違点のみ詳細に説明する。
【００４２】
＜実施の形態２＞
図６は、本実施の形態に係る集合住宅１Ａの構造例を示す間取り図であり、図７は、寝室ユニット４０Ａの拡大図であり、図８は、本発明の実施の形態２に係る集合住宅１Ａの住戸１０Ａを模式的に示す斜視図であり、図９は、本発明の実施の形態２に係る集合住宅１Ａの寝室ユニット４０Ａを模式的に示す斜視図である。図８，９において、理解容易のため、寝室ユニット４０Ａの扉１４Ａを開いた状態を図示している。
【００４３】
図６，７を参照して、本実施の形態では、寝室ユニット４０Ａの長手方向は、住戸１０Ａの奥行き方向に対して直角に配置されている。つまり、居住者は、就寝空間４２Ａにおいて、境界壁１１に対して直角に就寝することができる。寝室ユニット４０Ａは、平面視において略矩形形状である。寝室ユニット４０Ａは、たとえば、横幅Ｌ３が１０００ｍｍ以上が望ましく、奥行きＬ４が２０００ｍｍ以上が望ましい。寝室ユニット４０Ａは、境界壁１１、側壁１２Ａ，後壁１３Ａ、扉１４Ａとによって囲まれている。
【００４４】
寝室ユニット４０Ａは、奥行き方向において、リビング２０とトイレ室３４Ａとの間に配置される。また、寝室ユニット４０Ａは、幅方向において、クローゼット室３６Ａと境界壁１１との間に配置される。側壁１２Ａは、平面視において凹凸形状であり、廊下３７との境目となる第１の側壁１２１Ａと、第１の側壁１２１Ａと直角に設けられ、廊下３７との境目となる第２の側壁１２２Ａと、クローゼット室３６Ａとの境目となる第３の側壁１２３Ａとにより形成されていてもよい。第３の側壁１２３Ａは、第１の側壁１２１Ａよりも境界壁１１から離れて配置されている。これにより、寝室ユニット４０Ａの幅方向の長さは、後壁１３Ａ側よりも扉１４Ａ側の方が長く形成される。扉１４Ａは、たとえば、３枚の引き違い戸である。
【００４５】
寝室ユニット４０Ａは、トイレ室３４Ａに隣接している。図８を参照して、就寝空間４２Ａの後壁１３Ａの上方領域は、トイレ室３４Ａ側にはみ出している。すなわち、後壁１３Ａは、側面視において凹凸形状であり、上方が下方よりもトイレ室３４Ａ側に突出している。具体的には、トイレ室３４Ａと隣接する後壁１３Ａは、天井から上下方向に延び、トイレ室３４Ａ側に配置される上方立壁１３１Ａと、床部から上下方向に延び、寝室ユニット４０側に配置される下方立壁１３３Ａと、上方立壁１３１Ａと下方立壁１３３Ａとの端部をそれぞれ連結する水平壁１３２Ａとを含む。上方立壁１３１Ａは、下方立壁１３３Ａよりもトイレ室３４Ａ側に張り出している。
【００４６】
図８，９を参照して、寝室ユニット４０Ａについて説明する。上方立壁１３１Ａには、就寝空間４２Ａに向かって突出するように棚４２３Ａが設けられている。さらに、水平壁１３２Ａは、寝室空間４２Ａにおいて、本棚として利用することができる。下方立壁１３３Ａには、寝室ユニット４０Ａに向かって突出するように横板部材４１Ａが設けられている。横板部材４１Ａの下方に設けられる収納空間４３Ａには、横幅方向に延びるハンガーパイプ４３２Ａが配置されている。ハンガーパイプ４３２Ａには、衣類等を吊り下げることができる。
【００４７】
図８を参照して、トイレ室３４Ａについて説明する。トイレ室３４Ａには、水洗トイレ３４１が配置されている。下方立壁１３３Ａには、トイレ室３４Ａに突出するように手洗場３４３が設けられている。手洗場３４３の上方には、水平壁１３２Ａが設けられる。手洗場３４３の下方に位置するスペースには、収納棚３４２が設けられ、たとえば、トイレットペーパーなどトイレの備品を収納することができる。
【００４８】
このように、後壁１３Ａの上方領域、すなわち、上方立壁１３１Ａをトイレ室３４Ａ側にはみ出させることで、トイレ室３４Ａの上方領域を就寝空間４２Ａとして利用することができる。これにより、デッドスペースになることが多いトイレ室３４Ａの上方領域を、就寝空間４２Ａとして活用することができ、スペースの有効活用を図ることができる。
【００４９】
図７の破線で示されるように、横板部材４１Ａと扉１４Ａとの間には、スペース４００Ａが設けられる。このスペース４００Ａには、昇降部材４４を配置することができる。扉１４Ａと横板部材４１Ａとの間にスペースが形成されることで、昇降部材４４を配置させたまま扉１４Ａを閉めることができる。昇降部材４４は、床面から就寝空間４２へ上るために設けられており、寝室ユニット４０Ａの床面４３１から横板部材４１Ａを掛け渡されるはしごであってもよいし、ステップ、簡易階段、脚立などであってもよい。
【００５０】
本実施の形態では、実施の形態１と比較して、収納空間４３Ａの奥行方向の長さを短くすることができるため、収納空間４３Ａを使用しやすい。
【００５１】
＜変形例＞
次に、寝室ユニット４０Ｂの扉１４１Ｂの変形例について説明する。図１０は、寝室ユニット４０Ｂの扉１４１Ｂの変形例を示す図である。
【００５２】
図１０を参照して、寝室ユニット４０Ｂの扉１４１Ｂは、幅方向にスライドして開閉可能な両引き戸である。扉１４１Ｂの上方領域には、通気性を有し、固定されている壁、たとえば、欄間１４２Ｂが設けられている。このような構成により、扉１４１Ｂに換気口を設けなくても、欄間１４２Ｂにより、常に寝室ユニット４０Ｂ内の換気を行うことができる。
【００５３】
なお、上記各実施の形態において、扉１４，１４Ａ，１４１Ｂは、開閉可能な寝室ユニット４０，４０Ａ，４０Ｂを取り囲む壁のうちの１つの壁であって、寝室ユニット４０，４０Ａ，４０Ｂの内部を視認することができない部材であればよく、たとえば、開き戸、折り戸などであってもよいし、ブラインドやカーテンなどであってもよい。また、扉１４，１４Ａ，１４１Ｂは、壁全面に設けられている必要はなく、部分的に設けられていればよい。
【００５４】
また、上記実施の形態１において、扉１４に寝室ユニット４０内の換気を行うための換気口１４３が設けられているとして説明したが、後壁１３または側壁１２に設けてもよい。また、換気口１４３は、開口に限定されず、換気扇であってもよい。
【００５５】
また、上記実施の形態１で説明した通気性を有する横板部材４１または換気口１４３を、上記実施の形態２に適用してもよい。
【００５６】
また、上記実施の形態２において、後壁１３Ａは、トイレ室３４Ａに隣接しているとして説明したが、非居室３に隣接していればよく、たとえば、玄関３１、浴室３２、または洗面室３３に隣接していてもよい。
【００５７】
また、上記各実施の形態に係る集合住宅１，１Ａは、住戸１０，１０Ａがそれぞれ複数設けられているものであってもよいし、住戸１０，１０Ａが組み合わされているものであってもよい。
【００５８】
また、上記各実施の形態において、寝室ユニット４０，４０Ａ，４０Ｂは、集合住宅１，１Ａの各住戸を区切る境界壁１１に沿って設けられるとして説明したが、限定的ではない。寝室ユニット４０は、集合住宅１，１Ａの各住戸１０を区切る境界壁１１に沿って設けられる必要はない。また、寝室ユニット４０，４０Ａ，４０Ｂは、住戸内に設けられていればよく、たとえば、一戸建て住宅内に配置されていてもよい。この場合、住戸とは、集合住宅に限定されず、一戸建て住宅にも適用される。
【００５９】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【符号の説明】
【００６０】
１  集合住宅、２  居室、３  非居室、１０  住戸、１１  境界壁、１２  側壁、１３  後壁、１４  扉、１５  ベランダ、２０  リビング、２１  棚、２２  テーブル、２３  ソファ、３１  玄関、３２  浴室、３３  洗面室、３４  トイレ室、３５  キッチン、３６  クローゼット室、３７  廊下、３８  収納室、４０  寝室ユニット、４１  横板部材、４２  上段空間（就寝空間）、４３  下段空間（収納空間）、４４  昇降部材、１２１  第１の側壁、１２２  第２の側壁、１２３  第３の側壁、１３１Ａ  上方立壁、１３２Ａ  水平壁、１３３Ａ  下方立壁、１３６  両引き戸、１４１Ｂ  扉、１４２Ｂ  欄間、３４１  水洗トイレ、３４２  収納棚、３４３  手洗場、３６１  棚板部材、３６２  上段、３６３  下段、４００  スペース、４２１  マットレス、４２２  枕、４２３  棚、４２４  間接照明、４３１  床面、４３２  ハンガーパイプ。
【図１】
2017066647.tif 000003
【図２】
2017066647.tif 000004
【図３】
2017066647.tif 000005
【図４】
2017066647.tif 000006
【図５】
2017066647.tif 000007
【図６】
2017066647.tif 000008
【図７】
2017066647.tif 000009
【図８】
2017066647.tif 000010
【図９】
2017066647.tif 000011
【図１０】
2017066647.tif 000012